(57)【要約】【課題】小規模な平屋建ての簡易な構造のプレキャスティングフレーム工法を提供する。【解決手段】現場打ち込み基礎台５に建てるＰＣ柱２を複数箇所の基礎台に建て、このＰＣ柱２間にＰＣ梁３を張り架設し、架設したＰＣ梁３の両端に設けた取付け金物８を、ＰＣ柱２を建てた後に各ＰＣ柱２の上端に設けた取付け金物７に接合し、ＰＣ柱２とＰＣ梁３との各取付け金物７，８を高力ボルトとによって固着してＰＣ柱２とＰＣ梁３とを接合し、ラーメンフレームを組立て基本構造物とする構成である。【選択図】　　　　　図１
2004068259.tif 000002
【特許請求の範囲】
【請求項１】
現場打ち込み基礎台に建てるＰＣ柱を複数箇所の基礎台に建て、このＰＣ柱間にＰＣ梁を張り架設し、架設したＰＣ梁の両端に設けた取付け金物を、ＰＣ柱を建てた後に各ＰＣ柱の上端に設けた取付け金物に接合し、ＰＣ梁とＰＣ柱との各取付け金物を高力ボルトとによって固着してＰＣ柱とＰＣ梁とを接合し、ラーメンフレームを組み立て基本構造物とすることを特徴とするプレキャスティングフレーム工法。
【請求項２】
現場打ち込み基礎台に建てるＰＣ柱を複数箇所の基礎台に建て、このＰＣ柱間にＰＣ梁を張り架設し、このＰＣ梁の両端に設けた取付け金物を、ＰＣ柱を建てた後に各ＰＣ柱の上端の取付け金物に接合し、これら取付け金物を高力ボルトとによって固着してＰＣ柱とＰＣ梁とを接合し、ラーメンフレームを組み立て、組み立てられたＰＣ柱とＰＣ梁との接合部やＰＣ柱と基礎台との接合部の間に無収縮モルタルを充填して基本構造物を組立形成し、その上に通しボルト孔を有するＰＣ屋根板を乗せて、ＰＣ梁に設置してあるボルト孔とを整合して埋設ボルトを締め付けて形成することを特徴とする簡易組立構造物の施工方法。
【請求項３】
現場打ち込み基礎台に建てるＰＣ柱を複数箇所の基礎台に建て、このＰＣ柱間にＰＣ梁を張り架設し、このＰＣ梁の両端に設けた取付け金物を、ＰＣ柱を建てた後に各ＰＣ柱の取付け金物に接合し、これら両取付け金物を高力ボルトとによって固着して４本のＰＣ柱と４個のＰＣ梁とを接合したラーメンフレームの基本構造物、又は現場打ち込み基礎台に建てるＰＣ柱を複数箇所の基礎台に建て、このＰＣ柱間にＰＣ梁を張り架設し、このＰＣ梁の両端に設けた取付け金物を、ＰＣ柱を建てた後に各ＰＣ柱の上端の取付け金物に接合し、これら取付け金物を高力ボルトとによって固着して４本のＰＣ柱と４個のＰＣ梁とを接合し、ラーメンフレームを組み立て、組み立てられたＰＣ柱とＰＣ梁との接合部やＰＣ柱と基礎台との接合部の間に無収縮モルタルを充填して基本構造物を組立形成し、この基本構造物上に通しボルト孔を有するＰＣ屋根板を乗せて、各ＰＣ梁に設置してあるボルト孔とを整合して埋設ボルトを締め付けて形成する簡易組立構造物内に、公園、遊園地等の施設のボックスユニットを組合せてなることを特徴とする多用途施設構造物。
【発明の詳細な説明】
【０００１】
【発明の属する技術分野】
この発明は、平屋建ての小屋を形成する鉄筋コンクリート板によるプレキャスティングフレーム工法に関し、特に、ＰＣ柱とＰＣ梁とを現場で組み立てる簡易構造物の施工方法に関する。
【０００２】
【従来の技術】
従来のＲＣ構造物の施工工程は、梁や柱などの配筋組立や型枠組立などの工程を経て、コンクリート打設、コンクリート養生、その後型枠の解体作業と多くの工程を必要としていた。そのため小屋を建築するのに時間がかかり、大変であったので、これを改良して、鉄パイプや支柱や梁を用いて骨格を構成し、この骨格に壁や出入り口の扉を取り付けるものなどがあった。
【０００３】
【発明が解決しようとする課題】
このような大掛かりなＲＣ構造物ではなく、公園のトイレやシェルター、パーゴラなどの施設、山小屋、災害時の簡易家屋等の簡易な組立て小屋を建築するのに簡易な構築物が望まれていた。しかし、従来の組立て方法では、支柱や梁を組み立てるのにボルトやナットを使用し、壁などを取り付けているので、そのために複雑な金具を必要とし、組立てに手数がかかり、多くの人手を必要としていた。また、予め組み立てられた枠組をトラック等により現場に運送して基礎台に取付けられており、そのため建物全体を運搬するため大掛かりな運送であり、搬送が大変であった。
【０００４】
この発明は、かかる上記問題点を解決し、所定の長さの規格が統一されたＰＣ柱やＰＣ梁を現場に搬送し、現場の基礎土台にＰＣ柱等を簡易に組み立て、組合せによって多用途の種々の公園施設等、例えば、トイレ、シェルター、パーゴラなどを簡易に建築するものである。
この発明の課題は、小規模な平屋建ての簡易な構造のプレキャスティングフレーム工法を提供することである。
この発明の他の課題は、ＰＣ柱とＰＣ梁とによる現場で簡易に組み立てられるプレキャスティングフレーム工法を提供することである。
ＰＣ柱やＰＣ梁をトラックで現場に搬送して簡易に組み立てられる簡易組立構造物の施工方法を提供することである。
【０００５】
【課題を解決するための手段】
この発明は、現場打ち込み基礎台に建てるＰＣ柱を複数箇所の基礎台に建て、このＰＣ柱間にＰＣ梁を張り架設し、架設したＰＣ梁の両端に設けた取付け金物を、ＰＣ柱を建てた後に各ＰＣ柱の上端に設けた取付け金物に接合し、ＰＣ梁とＰＣ柱との各取付け金物を高力ボルトとによって固着してＰＣ柱とＰＣ梁とを接合し、ラーメンフレームを組立て基本構造物とするプレキャスティングフレーム工法によって前記課題は達成できる。
【０００６】
また、この発明の前記課題は、現場打ち込み基礎台に建てるＰＣ柱を複数箇所の基礎台に建て、このＰＣ柱間にＰＣ梁を張り架設し、このＰＣ梁の両端に設けた取付け金物を、ＰＣ柱を建てた後に各ＰＣ柱の上端の取付け金物に接合し、これら取付け金物を高力ボルトとによって固着してＰＣ柱とＰＣ梁とを接合し、ラーメンフレームを組み立て、組み立てられたＰＣ柱やＰＣ梁との接合部やＰＣ柱と基礎台との接合部の間に無収縮モルタルを充填して基本構造物を組立形成し、その上に通しボルト孔を有するＰＣ屋根板を乗せて、ＰＣ梁に設置してあるボルト孔とを整合して埋設ボルトを締め付けて形成する簡易組立構造物の施工方法の構成によって達成できる。
【０００７】
更にこの発明の前記課題は、現場打ち込み基礎台に建てるＰＣ柱を複数箇所の基礎台に建て、このＰＣ柱間にＰＣ梁を張り架設し、このＰＣ梁の両端に設けた取付け金物を、ＰＣ柱を建てた後に各ＰＣ柱の取付け金物に接合し、これら両取付け金物を高力ボルトとによって固着して４本のＰＣ柱と４本のＰＣ梁とを接合したラーメンフレームの基本構造物、又は現場打ち込み基礎台に建てるＰＣ柱を複数箇所の基礎台に建て、このＰＣ柱間にＰＣ梁を張り架設し、このＰＣ梁の両端に設けた取付け金物を、ＰＣ柱を建てた後に各ＰＣ柱の上端の取付け金物に接合し、これら取付け金物を高力ボルトとによって固着して４本のＰＣ柱と４個のＰＣ梁とを接合し、ラーメンフレームを組み立て、組み立てられたＰＣ柱やＰＣ梁との接合部やＰＣ柱と基礎台との接合部の間に無収縮モルタルを充填して基本構造物を組立形成し、この基本構造物上に通しボルト孔を有するＰＣ屋根板を乗せて、各ＰＣ梁に設置してあるボルト孔とを整合して埋設ボルトを締め付けて形成する簡易組立構造物内に、公園、遊園地等の施設のトイレ、シェルター、管理人室、更衣室などのボックスユニットを組合せてなる多用途施設構造物の構成によって達成できる。
【０００８】
この発明のプレキャスティングフレーム工法は、現場で基礎打ち終了後、この基礎台の所定の場所にＰＣ柱を建て、ＰＣ梁をＰＣ柱間に架設して、端部に設けた取付け金物をＰＣ柱の取付け金物に高力ボルトで固着して枠組みを完成するから現場において簡易に組み立てることができる。
この発明のプレキャスティングフレーム工法によれば、前記従来の不都合を解消し、施工工程の内、現場作業の配鉄筋から型枠解体までのコンクリート工事の殆どを省略し、ＰＣ柱やＰＣ梁の各部材を組み立て、隙間における鉄骨プレートの接合と無収縮モルタル注入だけで通常のＲＣ構造物を簡易に、短時間に施工することが出来る。
【０００９】
特に、ＰＣ柱とＰＣ梁との組合せによる基本構造によって、一個のラーメンフレームを作ることが出来る。この基本構造物の上に乗せる屋根板として横格子屋根、格子屋根、方形格子屋根、切妻屋根など多種類の形態を準備することにより、建物の使用形態に似合った建物を構築することが出来る。しかも、この基本構造物内に組み込むユニットとしてはトイレ、シェルター、更衣室、シャワー室、休憩室、券売場、管理人室などを組み込むことができ、公園や遊技場などの施設を組合せて簡易に構築することが出来る。
【００１０】
【発明の実施の形態】
この発明に係るプレキャスティングフレーム工法の実施の形態を図面に基づいて詳細に説明する。
図１はこの発明のプレキャスティングフレーム工法の基本構造物を示す説明図である。図２はこの発明の基本構成を示す分解概略図である。図３は図２の基本構成の枠組内に組み込むボックスユニットの実施形態の斜視図である。図４はこの発明に使用する実施形態のＰＣ梁の側面図である。図５はこの発明に使用する実施形態のＰＣ柱の側面図である。図６〜図１３はこの発明の基本構造物に各種実施形態を示す斜視図である。図１４はこの発明の基本構造物を連接した状態を示すトイレの枠組みの実施形態の斜視図である。図１５は両側に格子屋根を載置した構造と中央に用途建物を形成する枠組みを示す説明図である。図１６〜図１９はこの発明の基本構造を組合せによる平屋建物の構造物の実施形態を示す斜視図である。
【００１１】
この発明のプレキャスティングフレーム工法について、図面に示す実施の形態に基づいて説明する。
図１に示すように上端に取付け金物７を植設したＰＣ柱２を基礎土台５の主筋６を編みこんだ基礎張りに嵌合して無収縮モルタル４を流し込んで固定し、同様にして４ヶ所の基礎土台５にＰＣ柱２を４本建て、このＰＣ柱２の上端の取付け金物７にＰＣ梁３の両端に設けた取付け金物８，８を貼り付けて、高力ボルト９で固着する。このようにして各ＰＣ柱２，２間にＰＣ梁３，３・・を架設して基本構造体１を構築する（図６参照）。ＰＣ梁３の取付け金物８とＰＣ柱２の取付け金物７とを高力ボルト９により接合し、これらの接合部の空間はアルミ板カバーによって被覆する。内部に無収縮モルタルなど充填することにより耐久性をもたせることができる。
【００１２】
このように構成された基本構造体１内に図３に示すようなボックスユニット１７を組み込んで施設の建物を形成する。屋根１５を被せて完成する。
この発明に使用するＰＣ材は、一般的なものを使用することが出来るが、種々の人々が使用する多用途型公園施設であるからある程度の強度を必要とし、コンクリート強度がＦｃ３０Ｎ／ｍｍで、比重は２．４位のものが好ましい。
また、ＰＣ柱の上端及びＰＣ梁２の両端に固着する取付け金物７，８は通常の鉄骨プレートで充分である。
【００１３】
図７から図１３に示すように、基本構造体１のＰＣ梁３の上に種々の形式の屋根を乗せることにより公園の施設に適合するデザインを選定することができる。例えば、横格子ユニット屋根１０や格子ユニット屋根１１および方形格子ユニット屋根１２を乗せればパーゴラが造られる（図７〜図９参照）。図１０から図１３に示すような屋根を載置した場合のシェルターの実施例である。
図１０はＰＣフラット屋根１３を乗せたシェルターである。図１２及び図１３は基本構造体１の上に切妻屋根１５及び方形屋根１６を乗せた実施例である。
【００１４】
このような単一の基本構造体１に種々の組合せにより、用途に適合した施設を簡易に組み立てることができる。これらの組合せた実施の形態について図１４から図１９に説明するが、これらに限定されることなく、用途に応じた施設を簡易に組み立てることができる。
図１４はＰＣフラット屋根１３を乗せた二組の基本構造体１を連接したものである。例えば、男子トイレと女子トイレ施設とするものである。図１５は両側に格子ユニット屋根１１を載置したパーゴラを配置し、中央に方形格子屋根１６を乗せた多目的施設の例である。
【００１５】
このような基本構造体の組合せは２個や３個に限らず、用途に応じて種々の組合せ可能である。例えば、図１６に示すように方形格子屋根１６と格子屋根１１とを交互に配置して方形格子ユニット屋根部分をトイレにして格子屋根のところをパーゴラとすることもできる。その他の組合せ状況について図１７乃至図１９に示す。
この発明のボックスユニット１７としてはトイレユニットの他には、シャワー室、更衣室や管理人室、券売場など公園等の施設の小屋を簡易に構築することができる。
【００１６】
【発明の効果】
この発明のプレキャスティングフレーム工法は、現場で基礎打ち終了後、この基礎台の所定の場所にＰＣ柱を建て、このＰＣ柱間にＰＣ梁を架設して、端部に設けた取付け金物をＰＣ柱の取付け金物に高力ボルトで固着して枠組みを完成するから現場におい短時間に基本構造物を簡易に組み立て得る。しかも、前記従来の不都合を解消し、施工工程の内、現場作業の配鉄筋から型枠解体まで、のコンクリート工事の殆どを省略し、ＰＣ柱やＰＣ梁の各部材を容易に組み立て、隙間における鉄骨プレートの接合とモルタル注入だけで通常のＲＣ構造物を簡易に、短時間に施工するころができる。
【図面の簡単な説明】
【図１】この発明のプレキャスティングフレーム工法の基本構造物を示す説明図である。
【図２】この発明の基本構成を示す分解概略図である。
【図３】図２の基本構成の枠組内に組み込むボックスユニットの実施形態の斜視図である。
【図４】この発明に使用する実施形態のＰＣ梁の側面図である。
【図５】この発明に使用する実施形態のＰＣ柱の側面図である。
【図６】この発明の基本構造体の骨組みを示す斜視図である。
【図７】この発明の工法による基本構造体に横格子ユニット屋根を施したパーゴラの概略図である。
【図８】図６の基本構造体に格子ユニット屋根を載置した施設の概略図である。
【図９】図６の基本構造体上に方形格子ユニット屋根を施した施設の概略図である。
【図１０】図６の基本構造体の上にフラット屋根を施した概略図である。
【図１１】図６の基本構造体の上にフラット屋根にトップライトを付けた実施形態の概略図である。
【図１２】図６の基本構造体の上に切妻屋根を施した施設の概略図である。
【図１３】図６の基本構造体の上に方形屋根を施した施設の概略図である。
【図１４】図６の基本構造体を連接し、フラット屋根を施したトイレの実施形態の概略斜視図である。
【図１５】基本構造体の両側に格子屋根を載置した構造と中央に用途建物を形成する概略斜視図である。
【図１６】基本構造体を５個組合せによる平屋建物の実施形態を示す概略斜視図である。
【図１７】この発明の基本構造体の３個連接した実施形態の概略図である。
【図１８】この発明の基本構造体を４個組合せた実施形態の概略図である。
【図１９】この発明の基本構造体を５個をＬ字状に組合せた実施形態の概略図である。
【符号の説明】
１　　　　　基本構造体
２　　　　　ＰＣ柱
３　　　　　ＰＣ梁
４　　　　　無収縮モルタル
５　　　　　基礎土台
６　　　　　主筋
７　　　　　取付け金物
８　　　　　取付け金物
９　　　　　高力ボルト
１０　　　　　横格子ユニット屋根
１１　　　　　格子ユニット屋根
１２　　　　　方形格子ユニット屋根
１３　　　　　フラット屋根
１４　　　　　トップブライト
１５　　　　　切妻屋根
１６　　　　　方形屋根
１７　　　　　ボックスユニット
【図１】
2004068259.tif 000003
【図２】
2004068259.tif 000004
【図３】
2004068259.tif 000005
【図４】
2004068259.tif 000006
【図５】
2004068259.tif 000007
【図６】
2004068259.tif 000008
【図７】
2004068259.tif 000009
【図８】
2004068259.tif 000010
【図９】
2004068259.tif 000011
【図１０】
2004068259.tif 000012
【図１１】
2004068259.tif 000013
【図１２】
2004068259.tif 000014
【図１３】
2004068259.tif 000015
【図１４】
2004068259.tif 000016
【図１５】
2004068259.tif 000017
【図１６】
2004068259.tif 000018
【図１７】
2004068259.tif 000019
【図１８】
2004068259.tif 000020
【図１９】
2004068259.tif 000021